(57)【要約】      （修正有）【課題】容易に取り付け、取外しが可能で名札として使用できるワッペンを提供すること。【解決手段】台座部材２と装飾部材３と名札部材４とから構成され、台座部材２の裏面側には感熱接着剤層が設けられ、台座部材２の表面側には、台座部材側係止部材５ａが設けられたものであり、装飾部材３の表面側には装飾３１が施され、装飾部材３の裏面側には、上記の台座部材側係止部材５ａと組み合わされる装飾部材側係止部材が設けられたものであり、名札部材４の本体部４１には、氏名などを記載可能な記入部４２が設けられ、名札部材４の本体部４１から突出したループ部４３が、上記の係止部材５によって組み合わされた状態にある、台座部材２と装飾部材３との間に配位されることにより、名札部材４の本体部４１が吊り下げられた状態で保持可能とされるワッペンを提供する。【選択図】図２
0003109080.tif 000002
【実用新案登録請求の範囲】
【請求項１】
身の回り品に取り付けられるワッペン（１）において、
台座部材（２）と装飾部材（３）と名札部材（４）とから構成され、
台座部材（２）の裏面側には、身の回り品の表面に対し、アイロンなどで加熱されることにより接着が可能となる感熱接着剤層（２１）が設けられ、
台座部材（２）の表面側には、台座部材側係止部材（５ａ）が設けられたものであり、
装飾部材（３）の表面側には、装飾（３１）が施され、
装飾部材（３）の裏面側には、上記の台座部材側係止部材（５ａ）と組み合わされて一体の係止部材（５）を構成する装飾部材側係止部材（５ｂ）が設けられたものであり、
名札部材（４）の本体部（４１）の、表面側の少なくとも一部には、氏名などを記載可能な記入部（４２）が設けられ、
名札部材（４）の本体部（４１）から突出したループ部（４３）が設けられ、
このループ部（４３）が、上記の係止部材（５）によって組み合わされた状態にある、台座部材（２）と装飾部材（３）との間に配位されることにより、名札部材（４）の本体部（４１）が吊り下げられた状態で保持可能とされたことを特徴とするワッペン。
【請求項２】
ループ部（４３）の、端部（４３ａ）から、名札部材（４）の本体部（４１）に対する接続部（４３ｂ）までの距離（Ｌ１）が、係止部材（５）の上端から装飾部材の下端までの距離（Ｌ２）よりも大きく、
かつ、係止部材（５）の中心から装飾部材（３）の外縁（３ａ）への寸法のうちの最大値（Ｌ３）を２倍した寸法よりも小さく形成されたことを特徴とする、請求項１に記載のワッペン。
【請求項３】
係止部材（５）が、ホック、スナップ、面ファスナーから選択された一つであることを特徴とする、請求項１または２に記載のワッペン。
【考案の詳細な説明】
【技術分野】
【０００１】
本願考案は、衣服やバッグなどの身の回り品に取り付けることのできるワッペンに関するものである。
【背景技術】
【０００２】
衣服やバッグなどの身の回り品に対してワッペンが取り付けられることがある。このワッペンは、表面にキャラクターなどの装飾が施されたものであって、これを身の回り品に取り付けることにより、装飾効果を高めることができる。また、氏名を表面に記載し、名札として使用するためにワッペンが使用されることもある。
【０００３】
このワッペンは、従来、身の回り品に縫い付けられることによって取り付けられていた。また、ワッペンの裏面に、加熱されることにより接着が可能となる感熱接着剤層を設けておき、アイロンなどを用いて取り付けられていた。
【考案の開示】
【考案が解決しようとする課題】
【０００４】
しかし、上記従来のワッペンは、一度取り付けると、なかなか取り外すことのできないものであった。よって、需要者の間には、使用中のワッペンに飽きた場合に、簡単に取替えができるものを望む声があった。更に、種々のワッペンを、例えば日替わりで取り換えて楽しみたいという要望も存在している。
【０００５】
本願考案は上記のことに鑑み、容易に取り付け、取外しが可能なワッペンを提供すること、また、名札としても使用できるワッペンを提供することを課題とする。
【課題を解決するための手段】
【０００６】
上記課題を解決するために、本願第１の考案は、身の回り品に取り付けられるワッペン１において、台座部材２と装飾部材３と名札部材４とから構成され、台座部材２の裏面側には、身の回り品の表面に対し、アイロンなどで加熱されることにより接着が可能となる感熱接着剤層２１が設けられ、台座部材２の表面側には、台座部材側係止部材５ａが設けられたものであり、装飾部材３の表面側には、装飾３１が施され、装飾部材３の裏面側には、上記の台座部材側係止部材５ａと組み合わされて一体の係止部材５を構成する装飾部材側係止部材５ｂが設けられたものであり、名札部材４の本体部４１の、表面側の少なくとも一部には、氏名などを記載可能な記入部４２が設けられ、名札部材４の本体部４１から突出したループ部４３が設けられ、このループ部４３が、上記の係止部材５によって組み合わされた状態にある、台座部材２と装飾部材３との間に配位されることにより、名札部材４の本体部４１が吊り下げられた状態で保持可能とされたことを特徴とするワッペンを提供する。
【０００７】
また、本願第２の考案は、ループ部４３の、端部４３ａから、名札部材４の本体部４１に対する接続部４３ｂまでの距離Ｌ１が、係止部材５の上端から装飾部材の下端までの距離Ｌ２よりも大きく、かつ、係止部材５の中心から装飾部材３の外縁３ａへの寸法のうちの最大値Ｌ３を２倍した寸法よりも小さく形成されたことを特徴とする、請求項１に記載のワッペンを提供する。
【０００８】
また、本願第３の考案は、係止部材５が、ホック、スナップ、面ファスナーから選択された一つであることを特徴とする、請求項１または２に記載のワッペンを提供する。
【考案の効果】
【０００９】
本願考案は、係止部材５により、台座部材２に対して容易に取り付け、取り外しできる装飾部材３を設け、各部材２，３から名札部材４を吊り下げ可能としたことにより、容易に取り付け、取外しが可能なワッペン１を提供することができたものである。また、名札部材４の本体部４１には、氏名などを記載可能な記入部４２が設けられたことにより、名札として使用できるワッペン１を提供することができたものである。
【考案を実施するための最良の形態】
【００１０】
以下、図面に基づき本願考案の実施の形態の一例をとりあげて説明する。図１は、本例のワッペンを構成する各部材を示す図であり、図２は、本例のワッペンの取り付け方法を説明した図である。また、図３〜図６は実施例のバリエーションを示す図である。
なお、下記の説明における表裏の表現は、図２に示された側を表、その反対側を裏とする。
【００１１】
本例のワッペン１は、台座部材２と装飾部材３と名札部材４とから構成されたものである。台座部材２は、衣服やバッグなどの身の回り品に対して取り付けられる平板状のものである。そして、装飾部材３は、台座部材２に取り付けられるものである。そして、名札部材４は、台座部材２と装飾部材３によって吊り下げられるものである。
【００１２】
台座部材２の裏面側には、身の回り品の表面に対し、アイロンなどで加熱されることにより接着が可能となる感熱接着剤層２１が設けられている。本実施例における感熱接着剤層２１としてはポリオレフィン系樹脂が用いられているが、他の樹脂など、種々の材料を用いて良い。このように台座部材２に感熱接着剤層２１が設けられたことにより、アイロンさえあれば、簡単に身の回り品への取り付けが可能であり、従来の縫い付けを要したワッペンのように、取り付けの際の手間が不要である。また、手先の器用でない者であっても、簡単に取り付け作業ができる。
また、本例では、感熱接着剤層２１が台座部材２の裏面全体に設けられたものであり、強力な接着力を発揮でき、後述するように台座部材２に装飾部材３と名札部材４とを取り付けた際でも、脱落することのないものとされている。
【００１３】
台座部材２の表面側には、台座部材側係止部材５ａが設けられている。本例では、台座部材側係止部材５ａとして、凸側部材と、凸側部材に対して組み合わせされる凹側部材とからなるスナップのうちの一方側部材が用いられている。
なお、本例における台座部材２としては、図１（Ａ）に示したように、円形のフェルトが用いられ、台座部材側係止部材５ａは、このフェルト地に対して縫合されたものとされているが、台座部材２の形態や材質はこれに限られるものではなく、感熱接着剤層２１により、身の回り品に対して強固に接着できるだけの面積を有するものであり、かつ、台座部材側係止部材５ａを支持できるものであれば良い。よって、形態については、多角形、星形、キャラクターを模した形など、種々に変更して実施でき、また、織布、皮革、合成樹脂など、種々の材料が利用できる。
なお、本例の台座部材２として用いられるフェルトとしては単色のものが用いられているが、装飾部材３を取り外した際においても、この台座部材に装飾効果を持たせるために、多色のものとしたり、表面に模様を記載しても良い。また逆に、装飾部材３を取り外した際において目立たなくするために、例えばジーンズ生地に取り付ける台座部材２については、同じ色彩のジーンズ生地を用いるなど、取り付けが想定される身の回り品に対して、視覚上埋没するような材料としたり、そのような色彩を有するものとしても良い。
【００１４】
装飾部材３は、図２に示したように、上記の台座部材２に取り付けが可能とされたものであり、裏面側には、図１（Ｃ）に示したように、上記の台座部材側係止部材５ａに対して取り付けられる装飾部材側係止部材５ｂが設けられている。本例では、上記の台座部材側係止部材５ａに対応する、スナップのうちの他方側部材が用いられている。
この装飾部材３は、頻繁になされる、台座部材２に対する取り付け、取り外しの作業に耐えうる強度を有するものとすることが望ましい。本例では、台座部材２に用いられるものよりも厚みのある平板状のフェルトが用いられ、装飾部材側係止部材５ｂは、このフェルト地に対して縫合されたものであるが、装飾部材３の材質はこれに限られるものではなく、上記の強度を有するものであって、装飾部材側係止部材５ｂを支持できるものであれば良い。よって、織布、皮革、木材、合成樹脂など、種々の材料が利用できる。
【００１５】
装飾部材３の表面側には、図１（Ｂ）に示したように、装飾３１が施されている。本例における装飾３１は、プリントや刺繍、色布の接着や縫い付けなどによりなされたものである。また、装飾部材３の形状についても、キャラクターの輪郭などを表した、種々の形状を有するものとでき、例えば、図３〜６に表したように、種々の形態で実施できる。
本例における装飾部材３は、装飾３１も含めて平板状に形成されたものであるが、これに限られるものではない。例えば、凹凸を有するものや、球体や六面体などの立体形状を有するものとしても良い。また、ガラス玉や蛍光材などの異種部材を取り付けることにより装飾しても良い。
【００１６】
ここで、上記の台座部材側係止部材５ａと装飾部材側係止部材５ｂとからなる係止部材５として、本例についてはスナップを用いたものとしたが、台座部材２と装飾部材３とを、後述のように、名札部材４を吊り下げた状態で保持可能なものであれば良く、例えば、ホックや面ファスナーなど、種々の手段を用いることができる。
【００１７】
次に、名札部材４は、上記の係止部材５によって組み合わされた状態とされた、台座部材２と装飾部材３とによって支持されるものである。具体的に、本例の名札部材４には、本体部４１とこの本体部４１から突出したループ部４３とが設けられたものである。
ループ部４３は、図１（Ｄ）に示したように、本体部４１に対して、縫合や接着により取り付けられた輪状の部分であって、紐あるいはゴム紐が用いられている。このループ部４３が、台座部材２と装飾部材３との間に配位され、輪状の部分のうち端部４３ａが係止部材５の上端に引っ掛けられることによって（図２（Ａ）参照）、図２（Ｂ）に示したように、本体部４１が吊り下げられた状態とされる。
【００１８】
本例におけるループ部４３は、上記のように台座部材２と装飾部材３との間に配位された際において、装飾部材３と本体部４１とが、図２（Ｂ）に示したように、重なり合わずに少し離れた状態に配位される。具体的には、図１（Ｃ）（Ｄ）に示したように、ループ部４３の、端部４３ａから名札部材４の本体部４１に対して接続された部分４３ｂまでの距離Ｌ１が、装飾部材側係止部材５ｂの上端から装飾部材の下端までの距離Ｌ２よりも大きく形成されたものである。
【００１９】
また、上記とは逆にループ部４３が装飾部材３に比べて大きすぎると、ループ部４３が装飾部材３から抜け、名札部材４が台座部材２と装飾部材３との間から脱落してしまうため、図１（Ｃ）（Ｄ）に示したように、ループ部４３の、端部４３ａから名札部材４の本体部４１に対する接続部４３ｂまでの距離Ｌ１が、装飾部材側係止部材５ｂの中心から装飾部材３の外縁３ａへの寸法のうちの最大値Ｌ３を２倍した寸法よりも小さく形成されたものとすることが望ましい。
【００２０】
本例においては、名札部材４の本体部４１は平板状とされており、この本体部４１の、表面側の少なくとも一部には、氏名などを記載可能な記入部４２が設けられる。この記入部４２については、紙や、にじみ防止加工を施した織布などの種々の材料が利用できる。また、この記入部４２は、本体部４１の表面への貼り付けなどによって、表面に単に配位されたものとしても良いが、例えば、図１（Ｅ）に示したように、本体部４１の基材である第１部材４１ａと、第１部材４１ａの表面側に装飾のために配位された第２部材４１ｂとの間に、紙や織布からなる記入部部材４２ａが挟まれるように配位され、第２部材４１ｂの一部が切り抜かれて設けられた窓状部分４１ｃに、記入部部材４２ａの表面の一部を露出させ、その部分を記入部４２として利用しても良い。
この記入部４２には、氏名などを記入可能な余白部分以外に、「なまえ」「氏名」「ＮＡＭＥ」などの記載や、縁取り、ワンポイント、キャラクターなど、種々の記載をすることが可能である。この記載については、印刷、刺繍、染色などの種々の手段により実施できる。
【００２１】
この名札部材４を身の回り品に取り付けるためには、図２（Ａ）に示したように、まず、台座部材２の台座部材側係止部材５ａの外周を取り巻くようにしてループ部４３を配位しておき、その状態で台座部材側係止部材５ａと装飾部材側係止部材５ｂとを組み合わせることにより、台座部材２に装飾部材３を取り付けることによりなされる。逆に、名札部材４を取り外すには、上記の逆の手順で台座部材２から装飾部材３を取り外してやれば良い。
このように、本願考案に係るワッペン１は、取り付け、取り外しの作業がワンタッチでできる、大変優れたものである。
【００２２】
本願考案に係るワッペン１は、台座部材２と装飾部材３だけでも装飾効果を発揮できる。また、台座部材２と装飾部材３とに名札部材４を取り付けることにより、氏名などの表示ができるのはもちろんのこと、台座部材２と装飾部材３だけの場合よりも装飾効果を高めることができる。また、ワッペン１を名札として使用しない場合には、名札部材４のみを取り外すことができるため、様々な使用方法が可能である。また、複数の装飾部材３や名札部材４をその日の気分によって気軽に取り換えて使用することができるため、大変楽しい使い方が可能である。
このワッペンの用途としては、幼稚園児の名札をはじめ、種々の用途に対して適用が可能である。
【図面の簡単な説明】
【００２３】
【図１】（Ａ）は本例の台座部材を示す正面図であり、（Ｂ）は本例の装飾部材を示す正面図であり、（Ｃ）は本例の装飾部材を示す背面図であり、（Ｄ）は本例の名札部材を示す正面図であり、（Ｅ）は（Ｄ）のＡ−Ａ断面図である。
【図２】（Ａ）は台座部材と名札部材とに対し、装飾部材を取り付けようとする状態を示す正面図であり、（Ｂ）は装飾部材を取り付けた後の状態を示す正面図である。
【図３】（Ａ）（Ｂ）とも、他の実施例を示す正面図である。
【図４】（Ａ）（Ｂ）とも、他の実施例を示す正面図である。
【図５】（Ａ）（Ｂ）とも、他の実施例を示す正面図である。
【図６】（Ａ）（Ｂ）とも、他の実施例を示す正面図である。
【符号の説明】
【００２４】
１      ワッペン
２      台座部材
２１    感熱接着剤層
３      装飾部材
３ａ    装飾部材の外縁
３１    装飾
４      名札部材
４１    本体部
４２    記入部
４３    ループ部
４３ａ  ループ部の端部
４３ｂ  ループ部と本体部との接続部
５      係止部材
５ａ    台座部材側係止部材
５ｂ    装飾部材側係止部材
Ｌ１    ループ部の端部から接続部までの距離
Ｌ２    係止部材の上端から装飾部材の下端までの距離
Ｌ３    係止部材の中心から装飾部材の外縁への最大寸法
【図１】
0003109080.tif 000003
【図２】
0003109080.tif 000004
【図３】
0003109080.tif 000005
【図４】
0003109080.tif 000006
【図５】
0003109080.tif 000007
【図６】
0003109080.tif 000008